(57)【要約】【課題】運動と娯楽の効果を共に達成するステップ台構造を提供する。【解決手段】主にステップ台本体１を含む。該ステップ台本体には底台１０を設置し、該底台には高低差を持つステップユニット２を形成する。さらに、該ステップユニットに対応し、該ステップ台本体の適当な位置には使用者が踏む位置を指示するライトディスプレーユニット３を設置する。ライトディスプレーユニットにはコントロールユニット、データディスプレーユニット及び音楽ユニットを併設し（上図）、コントロールユニット４によって音楽ユニット７から流す様々な音楽を選択し、ライトの点滅速度を対応させると共にデータディスプレーユニット５よって使用者に、時間、カロリー、回数、速度等の各種データを提供することができる。【選択図】図１
0003096957.tif 000002
【実用新案登録請求の範囲】
【請求項１】
主にステップ台本体を含み、該ステップ台本体には底台を設け、該底台には高低差を持つステップユニットを形成し、さらに、該ステップユニットに対応し、該ステップ台本体の適当な位置には使用者が点灯して踏む位置を指示するライトディスプレーユニットを設置することによって、娯楽性を持って運動することができることを特徴とするステップ台構造。
【請求項２】
前記ステップユニットは高低差を設けた構造であることを特徴とする請求項１記載のステップ台構造。
【請求項３】
前記ステップユニットは複数の上方に突出した形状のペダルにより構成されることを特徴とする請求項１記載のステップ台構造。
【請求項４】
前記ステップユニットは複数の平面センサー式ペダルにより構成されることを特徴とする請求項１記載のステップ台構造。
【請求項５】
前記ステップユニットが形成する高低差構造は同心円により構成されることを特徴とする請求項１記載のステップ台構造。
【請求項６】
前記底台は上方に向かい手すりを延伸して設置したことを特徴とする請求項１、或いは２、或いは５記載のステップ台構造。
【請求項７】
主にステップ台本体を含み、
該ステップ台本体には底台を設け、該底台には高低差を持つステップユニットを形成し、さらに、該ステップユニットに対応して該ステップ台本体の適当な位置には使用者が踏む位置を指示するライトディスプレーユニット、音楽を放送する音楽ユニット、時間・カロリー・ステップの回数や速度等の各種データを提供するデータディスプレーユニット及びこれらを調整するコントロールユニットを設置してなることを特徴とするステップ台構造。
【請求項８】
前記ステップユニットは発光式のペダル構造とすることを特徴とする請求項１、或いは７記載のステップ台構造。
【考案の詳細な説明】
【０００１】
【考案の属する技術分野】
本考案は一種のステップ台構造に関する。特に一種の高低差を持つステップユニット及び使用者が踏む位置を指示するライトディスプレーユニットを利用し、運動と娯楽の効果を共に達成するステップ台構造に係る。
【０００２】
【従来の技術】
現在一般に知られているステップ台は各種娯楽、或いは運動装置として運用されている。
この種のステップ台は主に、プラットフォームに音楽出力機構をあわせ、その娯楽効果を達成するダンスマシーンの構造である。
また、該ステップ台構造をエアロビクスのステップに運用する場合には、運動者はステップを上下に踏むことにより、運動効果を増すものである。
しかし、該二種の公知構造は共に理想的とは言えない。
該プラットフォームを利用する構造において、使用者はコンピュータの指示に従いプラットフォーム上で移動し、娯楽及び運動効果を達成することができるが、平面のステップ台を利用するだけであるため、変化が乏しく、長時間使用する上での娯楽性には限界がある。しかも、運動効果も低いため、この種の製品の商品としての寿命は短い。この点はダンスマシーンの流行が衰えている状況からもうかがい知ることがでできる。
該エアロビクスステップ板においては、使用者はエアロビクスをする時に、リズムに合わせて上下にペダルを踏み、高い運動効果を得ることができる。しかし、この種の構造は運動性は十分であるが、娯楽性は不十分で、それが楽しんで運動しょうとする場合には敬遠されることが多い所以であろう。
上記二種の公知構造は、一種に付いては運動効果に限界があり、もう一種は娯楽性が不十分で、何れも多機能性を追求する現代の消費者ニーズに応えることができない。
【０００３】
【考案が解決しようとする課題】
上記公知構造の欠点を解決するため、本考案はステップ台構造の提供を課題とする。
それは、各種公知構造の長所を結合し、娯楽性と高い運動性を兼ね備えた効果を創出することができる。
またそれは、ステップ台の使用効果を向上させることにより、使用者層を広げることができる。
【０００４】
【課題を解決するための手段】
上記課題を解決するため、本考案は下記のステップ台構造を提供する。
それは主にステップ台本体を含む。
該ステップ台本体には底台を設置し、該底台には高低差を持つステップユニットを形成する。さらに、該ステップユニットに対応し、該ステップ台本体の適当な位置には使用者が踏む位置を指示するライトディスプレーユニットを設置する。
【０００５】
【考案の実施の形態】
図１が示すように、本考案は主にステップ台本体１を含む。該ステップ台本体１には底台１０を設置し、該底台１０には高低差を持つステップユニット２を形成する。さらに、該ステップユニット２に対応し、該ステップ台本体１の適当な位置には使用者が踏む位置を指示するライトディスプレーユニット３を設置する。こうして、運動と娯楽の効果を共に達成する。
【０００６】
本考案は該ステップユニット２の設置により高い運動効果を具える。さらに、該ステップユニット２に設置する該ライトディスプレーユニット３により、使用者はライトの指示に従い、その脚部を高低差を具える該ステップユニット２間において随意に移動させることができる。こうして、娯楽と娯楽の効果を共に達成する。
【０００７】
さらに図１、３、４が示すように、本考案の実施例においては該底台１０の前端において該ライトディスプレーユニット３を設置し、該ステップユニット２は上方に突出したペダル２１、２１’とすることもできる。これにより、使用者はさらに一層はっきりと意識してペダルを踏むことができる。
もちろん図２が示すように、平面センサー式のステップユニット２とすることもできる。このように本考案の外観は変化を加えることができる
【０００８】
次に図５が示すように、本考案は高低差を具えた構造を利用し同心円の底台を形成することができる。該構造において中心円１１は高くなっており、外円１２は低く設置する。該中心円１１と該外円１２上にはステップユニット２を設置し、さらにライトディスプレーユニット３をあわせ、別種の形態の底台を持つ構造を形成することができる。
【０００９】
使用上の安全性については、図３、４が示すように、本考案は該底台１０において上へと伸びた手すり６を設置する。該ライトディスプレーユニット３は該手すり６の前端に設置し、こうして、安全かつ利便性の高い使用を提供することができる。
【００１０】
さらに本考案は、現在消費者が求める多機能性を追求するため、コントロールユニット４、音楽ユニット７、データディスプレーユニット５を設置する。これにより、使用に当たっては該コントロールユニット４を利用し、様々な音楽を選択し、ライトの点滅速度を対応させながら運動を行う。こうして、使用過程の娯楽性を向上させることができる。
さらに、該データディスプレーユニット５は使用者に、時間、カロリー、回数、速度等の各種データを提供する。これらは、該コントロールユニット４により調整される。
また、バラエティーに富んだ使用を実現するため、該ライトディスプレーユニット３は該ステップユニット２に対応し、該ペダル２１を発光式とすることができる。これにより、特定の該ライトディスプレーユニット３が点灯する時、対応するペダル２１も点灯させることができる。こうして、消費者により一層高い娯楽性を提供し、購買意欲を高めることができる。
【００１１】
次に図６、７が示すように、本考案は使用時に、先ず該コントロールユニット４を利用し使用する音楽を選択する。使用過程においては、該ライトディスプレーユニット３に従い足を上下移動させる。さらに、該データディスプレーユニット５により、簡単に使用状態を知ることができ、娯楽と高い運動効果を同時に達成することができる。
本考案は実施に当たり、該ペダル２１の数量及び位置は様々に設定可能で、該底台１０の形態も任意とすることができる。
【００１２】
【考案の効果】
上記のように、本考案は各種公知構造の長所を結合し、娯楽性と高い運動性を兼ね備えた効果を創出することができる。また本考案構造はステップ台の使用効果を向上させることにより、使用者層を広げることができる。
【図面の簡単な説明】
【図１】本考案ステップ台に使用するライトディスプレーユニットにコントロールユニット、データディスプレーユニット及び音楽ユニットを併設した構造（上図）及びステップ台構造の外観（下図）を示す。
【図２】本考案ステップ台構造平面ステップの外観指示図である。
【図３】本考案ステップ台構造手すりの実施例指示図である。
【図４】本考案ステップ台構造別種の手すりの実施例指示図である。
【図５】本考案ステップ台構造の別種の実施例指示図である。
【図６】本考案ステップ台構造の作動実施図である。
【図７】本考案ステップ台構造の作動フローチャートである。
【符号の説明】
１　ステップ台本体
１０　底台
１１　中心円
１２　外円
２　ステップユニット
２１　ペダル
３　ライトディスプレーユニット
４　コントロールユニット
５　データディスプレーユニット
６　手すり
７　音楽ユニット
【図１】
0003096957.tif 000003
【図２】
0003096957.tif 000004
【図３】
0003096957.tif 000005
【図４】
0003096957.tif 000006
【図５】
0003096957.tif 000007
【図６】
0003096957.tif 000008
【図７】
0003096957.tif 000009
【手続補正書】
【提出日】平成15年5月1日(2003.5.1)
【手続補正１】
【補正対象書類名】明細書
【補正対象項目名】請求項１
【補正方法】変更
【補正の内容】
【請求項１】
主にステップ台本体を含み、該ステップ台本体には底台を設け、該底台には高低差を持つステップユニットを形成し、さらに、該ステップユニットに対応し、該ステップ台本体の適当な位置には点灯して使用者が踏む位置を指示するライトディスプレーユニットを設置することによって、娯楽性を持って運動することができることを特徴とするステップ台構造。
【手続補正２】
【補正対象書類名】明細書
【補正対象項目名】請求項６
【補正方法】変更
【補正の内容】
【請求項６】
前記底台に上方に向かって手すりを延伸して設置したことを特徴とする請求項１、或いは２、或いは５記載のステップ台構造。